(57)【要約】【課題】照度を点灯時間によらず一定に補正する放電灯点灯装置において、高効率化を可能にすること。【解決手段】スイッチング素子Ｑ１及びスイッチング素子Ｑ２は、駆動部７からの信号により、交互にオン・オフされて直流電圧を高周波の矩形波電圧に変換する。共振回路４は、矩形波電圧を正弦波状の交流電圧に変換して、放電ランプＬａに印加する。照度補正回路１１により、放電ランプＬａの累積点灯時間の経過に伴う放電ランプＬａの劣化による照度の低下を、放電ランプＬａへの供給電力を増加させることで補正する。放電ランプＬａへの供給電力を増加させることに伴ってランプ電流は増加し、ランプ電流のみでフィラメントＦから十分な電子が放出されるようになった場合にはスイッチング素子Ｑ３をオフさせる。【選択図】        図１
2004178943.tif 000002
【特許請求の範囲】
【請求項１】
放電ランプと、放電ランプを高周波で点灯させるインバータ回路と、放電ランプのフィラメントに流れる常時予熱電流を制御する予熱制御回路と、放電ランプへの給電時間を放電ランプの累積点灯時間として計時する点灯時間タイマーと、点灯時間タイマーにより放電ランプの累積点灯時間を把握し、放電ランプの累積点灯時間の経過に伴う放電ランプの劣化による照度の低下を、放電ランプへの供給電力を増加させることにより補正する照度補正回路と、を備える放電灯点灯装置において、
予熱制御回路は、放電ランプへの供給電力が所定の電力を超えた場合に、常時予熱電流を停止させるものであることを特徴とする放電灯点灯装置。
【請求項２】
前記予熱制御回路は、点灯時間タイマーによって計時された累積点灯時間が所定の時間を経過した時点で、放電ランプへの供給電力が所定の電力を超えたものと判断して、常時予熱電流を停止させるものであることを特徴とする請求項１記載の放電灯点灯装置。
【請求項３】
前記予熱制御回路は、放電ランプに流れるランプ電流を検知するランプ電流検知回路を備え、ランプ電流が所定の電流値以上となった場合に、放電ランプへの供給電力が所定の電力を超えたものと判断して、常時予熱電流を停止させるものであることを特徴とする請求項１記載の放電灯点灯装置。
【請求項４】
前記予熱制御回路は、周囲温度に応じて常時予熱電流を停止させる時間を変化させるものであることを特徴とする請求項１乃至請求項３のいずれかに記載の放電灯点灯装置。
【請求項５】
仕様が異なる複数の放電ランプを備え、各放電ランプの特性に応じて、前記予熱制御回路は、常時予熱電流を停止させるものであることを特徴とする請求項１乃至請求項４のいずれかに記載の放電灯点灯装置。
【発明の詳細な説明】
【０００１】
【発明の属する技術分野】
本発明は、放電灯点灯装置に関するものである。
【０００２】
【従来の技術】
この種の放電灯点灯装置として、本願出願人は、特開平９−１９９２８７に示す構成のものを提案している。このものは、放電ランプと、放電ランプに高周波電力を供給する高周波電源と、高周波電源の出力を制御して放電ランプを調光する調光制御部と、放電ランプのフィラメントに予熱電力を供給する予熱回路と、予熱回路の出力を制御する予熱制御部とを備え、ランプ動作ポイントを複数利用して調光制御を行う放電灯点灯装置において、放電ランプのランプ動作ポイントの切換えに応じて予熱回路の出力を切換えることを特徴としている。
【０００３】
このようにすることにより、調光度に応じた最適な予熱電力を供給することができ、高出力時だけでなく、低出力時においても放電灯点灯装置としての総合的な効率を改善することができるという効果がある。
【０００４】
また、別の従来例として、特開２００２−４３０８６に示されるものがある。このものは、放電灯と、放電灯を点灯させるとともに放電灯への供給電力を制御可能放電灯点灯部と、放電灯点灯部への給電時間を放電灯の点灯時間として計時する点灯時間タイマーと、放電灯の点灯時間の経過に伴う光束低下を抑制するように点灯時間タイマーにより計時された点灯時間に応じて放電灯への供給電力を放電灯点灯部に指示する制御部を備える放電灯点灯装置において、前記放電灯点灯装置が放電灯を一定電力若しくは放電灯の定格電力で、光束低下を抑制するように点灯時間タイマーにより計時された点灯時間に応じて放電灯へ電力を供給する機能を有することを特徴とする。
【０００５】
【特許文献１】
特開平９−１９９２８７号公報
【０００６】
【特許文献２】
特開２００２−４３０８６号公報
【０００７】
【発明が解決しようとする課題】
しかしながら、上記従来例の前者においては、調光度に応じた最適な予熱電力を供給することができるものであって、放電ランプの劣化を考慮したものではない。また、従来例の後者においては、放電灯（放電ランプ）の点灯時間の経過に伴って、ランプ電流が増加し、必要以上に放電ランプのフィラメントを加熱することが想定されるので、フィラメントでの消費電力を改善することで高効率化を図る余地がある。
【０００８】
本発明は、かかる事由に鑑みてなしたものであり、その目的とするところは、照度を点灯時間によらず一定に補正する放電灯点灯装置において、高効率化を可能にすることである。
【０００９】
【課題を解決するための手段】
請求項１に係る発明は、放電ランプと、放電ランプを高周波で点灯させるインバータ回路と、放電ランプのフィラメントに流れる常時予熱電流を制御する予熱制御回路と、放電ランプへの給電時間を放電ランプの累積点灯時間として計時する点灯時間タイマーと、点灯時間タイマーにより放電ランプの累積点灯時間を把握し、放電ランプの累積点灯時間の経過に伴う放電ランプの劣化による照度の低下を、放電ランプへの供給電力を増加させることにより補正する照度補正回路と、を備える放電灯点灯装置において、予熱制御回路は、放電ランプへの供給電力が所定の電力を超えた場合に、常時予熱電流を停止させるものであることを特徴とする。
【００１０】
請求項２に係る発明は、請求項１記載の発明において、前記予熱制御回路は、点灯時間タイマーによって計時された累積点灯時間が所定の時間を経過した時点で、放電ランプへの供給電力が所定の電力を超えたものと判断して、常時予熱電流を停止させるものであることを特徴とする。
【００１１】
請求項３に係る発明は、請求項１記載の発明において、前記予熱制御回路は、放電ランプに流れるランプ電流を検知するランプ電流検知回路を備え、ランプ電流が所定の電流値以上となった場合に、放電ランプへの供給電力が所定の電力を超えたものと判断して、常時予熱電流を停止させるものであることを特徴とする。
【００１２】
請求項４に係る発明は、請求項１乃至請求項３のいずれかに記載の発明において、前記予熱制御回路は、周囲温度に応じて常時予熱電流を停止させる時間を変化させるものであることを特徴とする。
【００１３】
請求項５に係る発明は、請求項１乃至請求項４のいずれかに記載の発明において、仕様が異なる複数の放電ランプを備え、各放電ランプの特性に応じて、前記予熱制御回路は、常時予熱電流を停止させるものであることを特徴とする。
【００１４】
【発明の実施の形態】
（第１の実施形態）
本発明の第１の実施形態を図１に基づいて説明する。図１は第１の実施形態の回路図である。
【００１５】
整流回路１は、商用交流電源電圧を全波整流するダイオードブリッジ（図示はしない）からなるもので、入力端子は商用電源に接続され、出力端子間には、コンデンサＣ６、点灯時間検出回路２を構成する抵抗Ｒ１と抵抗Ｒ２の直列回路、インバータ回路３の一部である、スイッチング素子Ｑ１とスイッチング素子Ｑ２の直列回路が接続されている。
【００１６】
インバータ回路３は、前述のスイッチング素子Ｑ１とスイッチング素子Ｑ２の直列回路と、スイッチング素子Ｑ１とスイッチング素子Ｑ２の接続点に接続されるカップリングコンデンサＣ３、及びスイッチング素子Ｑ１とスイッチング素子Ｑ２のゲートに接続される抵抗とからなる。
【００１７】
そして、スイッチング素子Ｑ２の両端には、矩形波電圧を正弦波の交流電圧に変換し、放電ランプに印加するチョークコイルＬと、共振コンデンサＣ１の直列接続からなる共振回路４が接続されている。さらに、共振コンデンサＣ１には、蛍光ランプである放電ランプＬａが並列に接続されている。
【００１８】
インバータ制御回路５は、インバータ回路３の発振周波数を決定する発振部６とその発振周波数でスイッチング素子Ｑ１、スイッチング素子Ｑ２を駆動する駆動部７により構成される。発振部６の出力端子は、駆動部７に接続され、駆動部７の出力端子ｃは、抵抗を介してスイッチング素子Ｑ２に接続されている。また、
駆動部７の出力端子ａは、抵抗を介してスイッチング素子Ｑ１に接続されている。
そして、駆動部７の出力端子ｂは、スイッチング素子Ｑ１とスイッチング素子Ｑ２の接続点に接続されている。
【００１９】
予熱制御回路８は、放電ランプＬａの始動時及び点灯時にフィラメントＦからの電子の放出を容易にするためフィラメントＦに電流（常時予熱電流）を流すものである。カップリングコンデンサＣ３の放電ランプＬａ側の端子とスイッチング素子Ｑ２のソース端子間には、予熱トランスＴ１とコンデンサＣ２とスイッチング素子Ｑ３の直列接続回路が接続されている。そして、予熱トランスＴ１の２次巻線Ｎ２１、Ｎ２２は、予熱電流制限用コンデンサＣ４、Ｃ５を介して放電ランプＬａのフィラメントＦの両端に接続されている。また、スイッチング素子Ｑ３のゲートには抵抗を介して、予熱制御部９が接続されている。
【００２０】
点灯時間タイマー１０は、コンデンサＣ６の両端の電圧が、規定の電圧値以上であることを計時するもので、点灯時間タイマー１０の入力端子は、点灯時間検出部２を構成する抵抗Ｒ１と抵抗Ｒ２の接続部に接続され、点灯時間タイマー１０の出力端子は、後述する照度補正回路１１に接続される。
【００２１】
照度補正回路１１は、放電ランプＬａの使用時間の経過に伴う照度の低下を放電ランプＬａへの供給電力を増加させることにより補正するため、スイッチング素子Ｑ１及びスイッチング素子Ｑ２をオン・オフさせる周波数を変化させる信号を出力するものである。また、照度補正回路１１には、点灯時間タイマー１０により計時した累積点灯時間を記憶しておく、たとえばＥＥＰＲＯＭのようなメモリー１２が接続されている。
【００２２】
以上の回路構成において、ＡＣ電源が接続されると、整流回路１及びコンデンサＣ６は、交流電圧を整流平滑して、直流電圧を出力する。スイッチング素子Ｑ１及びスイッチング素子Ｑ２は、駆動部７からの信号により、交互にオン・オフされて直流電圧を高周波の矩形波電圧に変換する。共振回路４は、矩形波電圧を正弦波状の交流電圧に変換して放電ランプＬａに印加し、放電ランプＬａを点灯させる。放電ランプＬａが点灯すると、フィラメントＦにはランプ電流が流れる。
ここで、発振部６の周波数を変化させると、放電ランプＬａに供給される電力が変化して、放電ランプＬａを調光し、照度を変化させることができる。また、スイッチング素子Ｑ３がオンの状態で、カップリングコンデンサＣ３の放電ランプＬａ側の端子とスイッチング素子Ｑ２のソース端子間に矩形波電圧が印加されると、予熱トランスＴ１によりＴ１の巻き数に比例した電圧を、予熱トランスＴ１の２次巻線Ｎ２１及びＮ２２に発生させる。そして、予熱トランスＴ１の２次巻線Ｎ２１及びＮ２２に発生した電圧により、予熱電流制限用コンデンサＣ４及びＣ５を介してフィラメントＦに常時予熱電流を流す。この常時予熱電流は、フィラメントＦから十分な電子を放出させるために流すものである。またＡＣ電源が接続され、コンデンサＣ６の両端が規定の電圧値以上になると、照度補正回路１１は、メモリー１２から放電ランプＬａの累積点灯時間を読み出す。そして、メモリー１２に格納されている補正用テーブルと累積点灯時間を照合し、累積点灯時間に対応した調光比を読み出す。そして照度補正回路１１は、累積点灯時間に対応した調光比を調光信号Ｖｓとして発振部６に出力する。発振部６は、調光信号Ｖｓに対応する周波数に変換して、駆動部７に出力する。これにより、スイッチング素子Ｑ１及びスイッチング素子Ｑ２の動作周波数が変化して、放電ランプＬａへの供給電力が調整され、照度を一定に保つことができる。その後、点灯時間タイマー１０は、点灯時間を計時し、照度補正回路１１を介して計時後の時間を定期的にメモリー１２に格納する。以降は、ＡＣ電源が接続されてコンデンサＣ６の両端が規定の電圧値以上になっている期間には、累積点灯時間をメモリー１２に書きこむ動作を繰り返し、累積点灯時間に対応した調光比を読み出し、前述のように放電ランプＬａへの供給電力の調整を行う。ここで、累積点灯時間は、定期的にメモリー１２に格納されているので、電源が遮断されても、その時の累積点灯時間を記憶しておくことができる。そして、再度電源を投入した時に、その累積点灯時間のデータを読み出すことで、電源遮断時の累積点灯時間から引き続き累積点灯時間を計時することができる。
【００２３】
ここで、重要なことは、予熱制御回路８の予熱制御部９が、放電ランプＬａへの供給電力が所定の電力を超えた場合に、常時予熱電流を停止させることである。
すなわち、放電ランプＬａへの供給電力が累積点灯時間の増加とともに増加し、これに伴いランプ電流も増加する。そして、点灯時間タイマー１０で計時する累積点灯時間が、ランプ電流のみでフィラメントＦから十分な電子を放出させる程度にフィラメントＦを加熱するようになる所定の累積点灯時間を経過した場合には、照度補正回路１１が予熱制御信号Ｖｆを予熱制御回路８の予熱制御部９に出力し、予熱制御部９はスイッチング素子Ｑ３をオフさせるのである。これにより、フィラメントＦで消費される電力は、ランプ電流によるものだけになるので、高効率化を図ることができるのである。なお、一般にフィラメントの適正温度は９００℃から１０００℃程度である。
【００２４】
ここで、図２に累積点灯時間と各パラメータの関係を示す。図２（ａ）は累積点灯時間と放電ランプＬａの光束の関係を、図２（ｂ）は累積点灯時間と調光比の関係を、図２（ｃ）は、本実施形態において、照度補正を行った場合の累積点灯時間と放電ランプＬａの光束の関係を、図２（ｄ）は本実施形態における、累積点灯時間と常時予熱電流及びランプ電流の関係を、図２（ｅ）は本実施形態における、累積点灯時間とフィラメントの消費電力の関係をそれぞれ示す。放電ランプＬａの光束は、図２（ａ）に示すように点灯時間時間に伴って蛍光体が劣化することにより低下し、これに伴って照度が低下する。また、放電ランプＬａを装着している灯具や放電ランプＬａが時間の経過に伴って汚れることによっても照度は低下する。照度補正回路１１は、前述のように放電ランプＬａへの供給電力を調整することで点灯時間の経過に伴う照度の低下を補正するものであって、図２（ｂ）に示すように、放電ランプＬａの交換直後には、放電ランプＬａを調光点灯させておき、放電ランプＬａの点灯時間が経過することに伴って、放電ランプＬａへの供給電力を増加させて調光比を増加させる。これにより、放電ランプＬａへの供給電力が一定の場合には、放電ランプＬａの光束が点灯時間の経過に伴って低下するのに対して、放電ランプＬａへの供給電力を増加させて調光比を増加させるることで、図２（ｃ）のように、光束を一定に保ち、これにより照度を略一定に保つことができるのである。また、放電ランプＬａへの供給電力を増加させることにより、放電ランプＬａのランプ電流は、図２（ｄ）に示すように、累積点灯時間とともに増加する。ここで、放電ランプＬａのランプ電流のみで十分な電子が放出される程度にフィラメントを加熱し、常時予熱電流を必要としなくなった場合には、スイッチング素子Ｑ３をオフさせ、常時予熱電流を停止させる。これにより、フィラメントＦには、過剰な常時予熱電流が流れないので、図２（ｃ）に示すようにフィラメントＦで消費される電力が抑制され、高効率化を図ることができる。また、フィラメントＦから電子放射性物質であるエミッタの損失が抑制され、ランプ寿命の短寿命化を防止することができる。
（第２の実施形態）
次に、本発明の第２の実施形態を図３及び図４に基づいて説明する。図３は、第２の実施形態の回路図を示したものである。また図４は、ランプ電流と周囲温度との関係を示す図である。本実施形態は、第１の実施形態の構成に、周囲温度補正回路２０を付加したもので、他は第１の実施形態と同様である。
【００２５】
周囲温度補正回路２０は、周囲の温度を検出する温度センサ２１と、抵抗Ｒ１２、Ｒ１３とコンデンサＣ９で構成されている。周囲温度を検出する温度センサ２１は、抵抗Ｒ１２を介して照度補正回路１１の入力端子に接続されている。また、抵抗Ｒ１２と照度補正回路１１の入力端子の接続部とグランドとの間には、フィルタとして作用する抵抗Ｒ１３とコンデンサＣ９が並列に接続されている。
【００２６】
以上の構成において、照度補正回路１１は、まず第１の実施形態と同様に点灯時間に応じてインバータ制御回路６に出力する調光信号Ｖｓを決定する。また、温度センサ２１は、放電ランプＬａの周囲温度を検出し、照度補正回路１１に周囲温度に相当する信号を出力する。照度補正回路１１は、温度センサ２１が検出した周囲温度において常時予熱電流を停止する調光信号Ｖｓの領域を、メモリー１２から読み出す。このとき、実施形態１で述べた方法で決定した調光信号Ｖｓが、常時予熱電流を停止できる領域にあれば、予熱制御部４にスイッチング素子Ｑ３をオフさせる予熱制御信号Ｖｆを出力し、常時予熱電流を停止できない領域であれば、スッチング素子Ｑ３をオンする予熱制御信号Ｖｆを出力する。
【００２７】
放電ランプＬａが蛍光ランプである場合には、一般に図４に示すように、周囲温度２５℃付近でランプ電流が最も少なくなり、それよりも低温、あるいは高温になるとランプ電流は増加する傾向にある。常時予熱電流を一定とすれば、ランプ電流が大きいほどフィラメントＦの温度は高くなるので、周囲温度２５℃よりも低温又は高温になるほどフィラメントＦの温度は上昇することになる。これにより、周囲温度２５℃では常時予熱電流によってフィラメントＦを加熱する必要があっても、周囲温度が変化することにより常時予熱電流が不必要になる場合がある。すなわち、周囲温度の変化によって、常時予熱電流を停止させる時間を変化させることが必要となる。
【００２８】
以上のような制御を行うことにより、周囲温度の変化に応じて常時予熱電流を停止する累積点灯時間を変化させることができるため、消費電力の削減をより効果的に行うことができる。
（第３の実施形態）
次に、本発明の第３の実施形態を図５に基づいて説明する。図５は、第３の実施形態の回路図である。本実施形態は、第１の実施形態の構成に、ランプ電流検出回路３０を付加したもので、他は第１の実施形態と同様である。
【００２９】
放電ランプＬａが常時予熱電流を必要としない領域では、ランプ電流によってフィラメントの温度が決定される。つまり、放電ランプＬａに流れるランプ電流を検出すれば、周囲温度に関わらず、常時予熱電流が必要かどうかを判断することが可能となる。
【００３０】
ランプ電流検出回路３０は、以下の構成からなる。すなわち、ランプ電流検出用の抵抗Ｒ１７が、放電ランプＬａとグランド間に接続されている。抵抗Ｒ１７と放電ランプＬａの接続部は、抵抗Ｒ１６を介してオペアンプ３１の入力端子（−）に接続され、オペアンプ３１の入力端子（−）とオペアンプ３１の出力端子間には、コンデンサＣ１１が接続されている。この抵抗Ｒ１６、オペアンプ３１及びコンデンサＣ１１により、ランプ電流検出用の抵抗Ｒ１７の電圧を、直流に変換する積分回路を構成している。そして、オペアンプ３１の出力端子は、抵抗Ｒ１４を介して照度補正回路１１に接続されている。また、抵抗Ｒ１４と照度補正回路１１の接続部とグランド間には、コンデンサＣ１０と抵抗Ｒ１５とが並列に接続されている。
【００３１】
以上の構成において、放電ランプＬａが点灯している状態では、放電ランプＬａにランプ電流が流れ、抵抗Ｒ１７の両端にはランプ電流に対応する電圧が発生する。抵抗Ｒ１７の両端の電圧は、抵抗Ｒ１６、オペアンプ３１及びコンデンサＣ１１により構成される積分回路にて、直流電圧に変換して出力され、この直流電圧を抵抗Ｒ１４と抵抗Ｒ１５により分圧して、照度補正回路１１に入力する。照度補正回路１１は、ランプ電流検出回路３０の出力電圧から、相当するランプ電流を読み取り、そのランプ電流の値が、常時予熱電流を停止できるランプ電流の値よりも大きければ、放電ランプへの供給電力が所定の電力を超え、ランプ電流のみでフィラメントＦから十分な電子を放出させる程度にフィラメントＦが加熱されたものと判断し、常時予熱電流を停止する予熱制御信号Ｖｆを出力する。
【００３２】
以上のように、本実施形態においては、ランプ電流の値によって、常時予熱電流の停止を判定するので、比較的簡単な回路構成で周囲温度に応じて適切に常時予熱電流を停止することができ、消費電力の削減を効果的に行うことができる。
（第４の実施形態）
次に、本発明の第４の実施形態を図６及び図７に基づいて説明する。図６は、第４の実施形態の回路図であり、図７は、仕様が異なる２種類の放電ランプＬａのランプ電流とランプ電圧の関係を示す図である。本実施形態は、第２の実施形態の構成に、第３の実施形態で述べた周囲温度補正回路２０を加え、さらにランプ電圧検出回路４０を付加したもので、他は第２の実施形態と同様であるので、ランプ電圧検出回路４０以外の回路については説明を省略する。
【００３３】
ランプ電圧検出回路４０は、抵抗Ｒ１８、Ｒ１９、Ｒ２０とダイオードＤ１及びコンデンサＣ１２で構成される。ランプ電圧を分圧する抵抗Ｒ１８と抵抗Ｒ１９の直列接続回路は、チョークコイルＬとグランドの間に接続される。抵抗Ｒ１８と抵抗Ｒ１９の接続部には、ダイオードＤ１のアノードが接続され、ダイオードＤ１のカソードは、照度補正回路１１の入力端子に接続されている。そして、ダイオードＤ１のアノードには、ダイオードＤ１のアノードに出力される電圧を平滑する抵抗Ｒ２０、コンデンサＣ１２がグランドに対して並列に接続されている。また、メモリー１２には、仕様の異なる種類の放電ランプＬａにおいて、常時予熱電流を停止する累積点灯時間及びランプ電流等のデータが記憶されている。
【００３４】
以上の回路構成において、放電ランプＬａが点灯している状態では、抵抗Ｒ１９に放電ランプＬａのランプ電圧を分圧した電圧が印加される。そして、抵抗Ｒ１９の両端の電圧は、ダイオードＤ１を介して整流され、抵抗Ｒ２０、コンデンサＣ１２で平滑される。ランプ電圧が増加すると、抵抗Ｒ１９の両端の電圧が上昇する。これにより、ランプ電圧検出回路４０の出力も増加する。
【００３５】
放電ランプＬａの仕様が異なる場合には、一般にランプ電流とランプ電圧の電流電圧特性が異なる。たとえば、図７に示すように直管タイプの蛍光ランプで３２Ｗのものと、同じく直管タイプの蛍光ランプで４０Ｗのものとでは、同じランプ電流であっても、直管タイプの蛍光ランプ４０Ｗの方がランプ電圧が高くなる。なお、これらの各ランプの電流電圧特性は、メモリー１２に記憶されている。そして、照度補正回路１１は、ランプ電圧検出回路４０の出力とメモリー１２に記憶された特性を比較し、放電ランプＬａの種類を判別する。そして、放電ランプＬａの種類に応じて、ランプ電流のみで十分フィラメントが加熱される累積点灯時間において、常時予熱電流を停止する予熱制御信号Ｖｆを出力し、常時予熱電流を停止させる。
【００３６】
以上の動作により、放電ランプＬａの種類に応じて、適切に常時予熱電流を停止することができ、消費電力の削減を効果的に行うことができる。また、放電ランプＬａの電流電圧特性は、周囲温度の変化によって変動するが、放電ランプＬａの電流電圧特性と周囲温度関係を示すデータをメモリー１２に記憶させておけば、周囲温度の変化により放電ランプＬａの電流電圧特性が変化しても、放電ランプＬａの種別を判別することができる。さらに、放電ランプＬａによって常時予熱電流を停止できるランプ電流若しくはランプ電力等の領域が異なる場合であっても、その領域についてもメモリー１２に記憶させておけば、放電ランプＬａの種類に応じて、適切に常時予熱電流を停止することができる。
【００３７】
【発明の効果】
請求項１に係る発明は、放電ランプと、放電ランプを高周波で点灯させるインバータ回路と、放電ランプのフィラメントに流れる常時予熱電流を制御する予熱制御回路と、放電ランプへの給電時間を放電ランプの累積点灯時間として計時する点灯時間タイマーと、点灯時間タイマーにより放電ランプの累積点灯時間を把握し、放電ランプの累積点灯時間の経過に伴う放電ランプの劣化による照度の低下を、放電ランプへの供給電力を増加させることにより補正する照度補正回路と、を備える放電灯点灯装置において、予熱制御回路は、放電ランプへの供給電力が所定の電力を超えた場合に、常時予熱電流を停止させるものであるようにしたので、フィラメントで消費される電力を抑制することができ、放電灯点灯装置の高効率化を図ることができる。
【００３８】
請求項２に係る発明は、請求項１記載の発明において、前記予熱制御回路は、点灯時間タイマーによって計時された累積点灯時間が所定の時間を経過した時点で、放電ランプへの供給電力が所定の電力を超えたものと判断して、常時予熱電流を停止させるものであるので、請求項１の効果を直接電力を測定することなく実現することができる。
【００３９】
請求項３に係る発明は、請求項１記載の発明において、前記予熱制御回路は、放電ランプに流れるランプ電流を検知するランプ電流検知回路を備え、ランプ電流が所定の電流値以上となった場合に、放電ランプへの供給電力が所定の電力を超えたものと判断して、常時予熱電流を停止させるものであるので、よりフィラメントでの消費電力を把握し易く、精度良く請求項１の効果を得ることができる。
【００４０】
請求項４に係る発明は、請求項１乃至請求項３のいずれかに記載の発明において、前記予熱制御回路は、周囲温度に応じて常時予熱電流を停止させる時間を変化させるものであるようにしたので、周囲温度が変化することにより、放電ランプのランプ電流が変動しても、精度良く請求項１の効果を得ることができる。
【００４１】
請求項５に係る発明は、請求項１乃至請求項４のいずれかに記載の発明において、仕様が異なる複数の放電ランプを備え、各放電ランプの特性に応じて、前記予熱制御回路は、常時予熱電流を停止させるものであるようにしたので、仕様が異なる複数の放電ランプを用いる場合においても、請求項１の効果を得ることができる。
【図面の簡単な説明】
【図１】第１の実施形態の回路図である。
【図２】（ａ）は累積点灯時間と放電ランプＬａの光束の関係を、（ｂ）は累積点灯時間と調光比の関係を、（ｃ）は、本実施形態において、照度補正を行った場合の累積点灯時間と放電ランプＬａの光束の関係を、（ｄ）は本実施形態における、累積点灯時間と常時予熱電流及びランプ電流の関係を、（ｅ）は本実施形態における、累積点灯時間とフィラメントの消費電力の関係をそれぞれ示す図である。
【図３】第２の実施形態の回路図である。
【図４】ランプ電流と周囲温度との関係を示す図である。
【図５】第３の実施形態の回路図である。
【図６】第４の実施形態の回路図である。
【図７】仕様の異なる２種類のランプのランプ電流とランプ電圧の関係を示す図である。
【符号の説明】
１    整流回路
２    点灯時間検出回路
３    インバータ回路
４    共振回路
５    インバータ制御回路
６    発振部
７    駆動部
８    予熱制御回路
１０  点灯時間タイマー
１１  照度補正回路
Ｌａ  放電ランプ
【図１】
2004178943.tif 000003
【図２】
2004178943.tif 000004
【図３】
2004178943.tif 000005
【図４】
2004178943.tif 000006
【図５】
2004178943.tif 000007
【図６】
2004178943.tif 000008
【図７】
2004178943.tif 000009